(57)【要約】本発明は、飲料容器（１２；１４）のためのホルダ（１０）に関する。本発明は、挿入開口（２６）を有する保持部材（２４）を備えたホルダ（１０）を形成し、前記保持部材（２４）が、平行四辺形案内部（２８）によって側部の支持部（２２）で案内されるようにすることを提案する。これにより、内径（ｄ）が、挿入された飲料容器（１２；１４）の直径に適合する。
2005507828.tif 000002
【特許請求の範囲】
【請求項１】
飲料容器のためのホルダであって、ベース部材が設けられており、該ベース部材に、ホルダに挿入したい飲料容器が載置可能になっており、かつ保持部材が設けられており、該保持部材が、ホルダに挿入された飲料容器を周面箇所で支持するようになっている形式のものにおいて、ベース部材（１６）が、支持部（２２）を有しており、該支持部（２２）が、ホルダ（１０）に挿入された飲料容器（１２；１４）に関連して、保持部材（２４）に向かい合って配置されており、ホルダ（１０）が、案内部（２８）を有しており、該案内部（２８）によって、保持部材（２４）が、ベース部材（１６）と支持部（２２）とに関連して可動に案内されており、これにより、保持部材（２４）と支持部（２２）との間の内径（ｄ）が変更可能になっていることを特徴とする、飲料容器のためのホルダ。
【請求項２】
保持部材（２４）が、飲料容器（１２；１４）のための挿入開口（２６）を有しており、保持部材（２４）が、次のように案内されている、すなわち、該保持部材（２４）の１つの位置では、支持部（２２）が挿入開口（２６）の内部に位置し、保持部材（２４）の別の位置では、挿入開口（２６）が、支持部（２２）とほぼ一直線に並んでいる、請求項１記載のホルダ。
【請求項３】
案内部（２８）が、平行四辺形案内部として形成されている、請求項１記載のホルダ。
【請求項４】
ホルダ（１０）が、ばねエレメント（３２）を有しており、該ばねエレメント（３２）が、保持部材（２４）を、該保持部材（２４）と支持部（２２）との間の内径（ｄ）の収縮を考慮して負荷するようになっている、請求項１記載のホルダ。
【発明の詳細な説明】
【技術分野】
【０００１】
本発明は、請求項１の上位概念部に記載の特徴を備えた、飲料容器のためのホルダに関する。
【０００２】
このホルダは、自動車又はその他の移動手段に取り付けるためのものである。飲料容器とは、飲料缶、グラス、カップなどである。
【０００３】
このようなホルダは、種々異なる多数の実施形式でそれ自体公知になっている。これらのホルダは、一般にベース部材又はその他の載置面又は底支持部をも有しており、これらの部材に、ホルダに挿入したい飲料容器が載置可能になっており、さらに保持部材を有しており、この保持部材は、ホルダに挿入された飲料容器を周面で側部方向に支持する。
【０００４】
そこで本発明の課題は、簡単な直径適合を可能にする、飲料容器のためのホルダを提供することである。
【０００５】
本発明によれば、この課題は請求項１の特徴部により解決される。本発明によるホルダのベース部材は、支持部を有しており、この支持部は、ホルダに挿入された飲料容器を、保持部材に対して周面で支持する。ホルダに挿入された飲料容器は、周面で支持部と保持部材とによって傾倒に抗して保持される。さらに、本発明によるホルダは案内部を有しており、この案内部によって、保持部材はベース部材で可動に案内されており、これにより、保持部材と支持部との間の中間室（内径）の大きさが変更可能になっている。これにより、簡単な形式で、挿入したい飲料容器の直径にホルダを適合させることが可能である。本発明は、広範な直径適合を可能にする。
【０００６】
基本的には、保持部材は、ホルダに挿入された飲料容器を、支持部に向かい合う周面箇所又は周面区分で支持すれば十分である。本発明の１構成では、保持部材には挿入開口が形成されており、この挿入開口は、挿入された飲料容器を部分的又は全体的に把持する。案内部によって、保持部材はベース部材で可動に案内されており、これにより、保持部材の１つの位置では、上方から見て、支持部は挿入開口の内部に位置しており、保持部材の別の位置では、挿入開口が支持部とほぼ一直線に並んでいる。後者は、挿入開口の周面区分が、上から見ると支持部とほぼ一致していることを意味する。本発明のこの構成では、保持部材の運動により、支持部と挿入開口との間の内径を変更することができるようになっており、これにより、ホルダは挿入したい飲料容器の直径に適合する。
【０００７】
ベース部材における保持部材の案内としては、例えば摺動案内が用いられる。本発明の１構成では、保持部材とベース部材との間に平行四辺形案内部が設けられる。この平行四辺形案内部は構成が単純であり、かつ機能安定的である。
【０００８】
本発明の１構成では、ばねエレメントが設けられており、このばねエレメントは、保持部材を、この保持部材と支持部との間のより小さくなる中間室を考慮して負荷する。ばねエレメントは、挿入された飲料容器の直径に、本発明によるホルダを自動的に適合させることを可能にする。大きい直径を備えた飲料容器を挿入するためには、保持部材は、この保持部材と支持部との間の中間室が飲料容器を挿入するために十分となるまで、飲料容器によってばねエレメントの力に抗して運動せしめられる。飲料容器はホルダに挿入され、ばねエレメントは、保持部材を介して、挿入された飲料容器を支持部に対して押圧し、これにより、飲料容器は傾倒に抗して保持されている。本発明のこのような構成は、片手操作の利点を有している。直径適合は、片手で把持された飲料容器によって行われる。
【０００９】
次に図示の実施例につき本発明を詳しく説明する。両図面は、本発明によるホルダの種々異なる位置を示す横断面図である。図面は概略的に簡易化して示されている。
【００１０】
図１に示した本発明によるホルダ１０は、自動車に取り付けるためのものである。このホルダ１０は、飲料容器、例えば缶１２又はグラス１４を挿入するために設けられている。ホルダ１０はベースプレート１８を備えたベース部材１６を有しており、このベースプレート１８は、飲料容器１２，１４のための載置面を形成している。ベースプレート１８からは、角材状の部材２０が上方向に突出しており、この部材２０は、平面図で見てベースプレート１８のほぼ半分を占めている。前記角材状の部材２０の、側部に突出したベースプレート１８範囲に向けられた側面は、凹面状に成形されており、支持部２２を形成している。この支持部２２は、ホルダ１０に挿入された飲料容器１２，１４を周面側部で支持する。
【００１１】
ベース部材１６の上方に、ホルダ１０は保持部材２４を有している。この保持部材２４は、上方から見ると、円形の開口を備えた長方形のフレームの形状を有しており、この開口は、飲料のための挿入開口１２，１４を形成している。保持部材２４は、全部で４つの旋回レバー２８によって、ベース部材１６で可動に案内されている。角材状の部材２０のそれぞれの側部には、２つの旋回レバー２８が配置されており、これらの旋回レバー２８は、旋回ピン結合部３０を介して、ベース部材１６と保持部材２４とに結合されている。旋回レバー２８は平行四辺形案内部を形成しており、この平行四辺形案内によって、保持部材２４はベース部材１６で可動に案内されている。旋回レバー２８による平行四辺形案内により、保持部材２４は、図１及び図２に示した両位置の間を往復運動することができる。図１に示した位置では、上方から見ると、支持部２２は保持部材２４の挿入開口２６の内部に位置しており、これにより、内径ｄを収縮させる。内径ｄは、上方からホルダ１０を見ると、支持部２２と、挿入開口２６の向かい合う周面区分との間の間隔又は中間室である。図２では、支持部２２は挿入開口２６とほぼ一直線に並んでおり、支持部２２と、挿入開口２６の向かい合う周面区分との間の内径ｄは、図１の場合よりも大きくなっており、挿入開口２６の直径に対応している。ホルダ１０は、これにより、種々異なる直径を備えた飲料容器１２，１４に適合することができる。
【００１２】
旋回レバー２８の１つには、旋回ばね３２が係合する。この旋回ばね３２は支持プレート１８で支持されている。脚ばね３２はばねエレメントを形成しており、このばねエレメントは、旋回レバー２８を介して、保持部材２４を、より小さくなる内径ｄを考慮して負荷する。
【００１３】
ベース部材１６の側部には、フラップカバー３４が取り付けられており、このフラップカバー３４によって、ホルダ１０は不使用時にカバー可能になっている。
【００１４】
小さい飲料容器、例えば図１に示した飲料缶１２を保持するためには、この飲料容器１２は、フラップカバー３４の開放時に上方から保持部材２４の挿入開口２６及びベースプレート１８に載置される。飲料缶１２は、支持部２２と、挿入開口２６の向かい合う周面区分とによって、周面側部で傾倒に抗して支持される。
【００１５】
直径のより大きい飲料容器、例えば図２に示した飲料グラス１４は、ホルダ１０に挿入するために、図１に破線で示したように、保持部材２４の挿入開口２６に沈降せしめられる。グラス１４を側方へ（図面で見て右側へ）運動させることにより、挿入開口２６に挿入されたグラス１４によって、保持部材２４は、グラス１４が完全に角材状の部材２０の隣に位置するようになるまで、脚ばね３２の力に抗して側方へ運動せしめられる。前記部材２０の凹状の側面は支持部２２を形成している。次いでグラス１４は載置面を形成するベースプレート１８に載置されるまで、さらに沈降せしめられる。この位置は図２に示されている。脚ばね３２は、保持部材２４の、支持部２２に向かい合う挿入開口２６周面範囲を、側部からグラス１４に対して押圧し、かつグラス１４を支持部２２に対して押圧する。挿入されたグラス１４は、脚ばね３２による保持部材２４のさらなる摺動を阻止する。ホルダ１０は、これにより、挿入された飲料容器１４の直径に自動的に適合する。より大きい直径を備えた飲料容器、例えばグラス１４の挿入時にも、上に述べたように、飲料容器が保持されるだけでよく、このためには片手で十分である。第２の手は必要ない。
【図面の簡単な説明】
【００１６】
【図１】本発明による、自動車に取り付けるためのホルダの横断面図である。
【００１７】
【図２】本発明による、自動車に取り付けるためのホルダの横断面図である。
【国際公開パンフレット】
2005507828.tif 000003
2005507828.tif 000004
2005507828.tif 000005
2005507828.tif 000006
2005507828.tif 000007
2005507828.tif 000008
2005507828.tif 000009
2005507828.tif 000010
【国際公開パンフレット（コレクトバージョン）】
2005507828.tif 000011
2005507828.tif 000012
【国際調査報告】
2005507828.tif 000013
2005507828.tif 000014
2005507828.tif 000015
2005507828.tif 000016
2005507828.tif 000017
2005507828.tif 000018